(57)【要約】      （修正有）【課題】トランプとしても、かるたとしても使用を可能としたトランプ兼用かるたを提供する。【解決手段】トランプの付番表示模様が表示された５２枚の主要札１１と、２枚の特別札１２とによって一組をなす組札二組からなり、一の組札１０ａには、読み札用として、主要札１１ａから選択された４８枚の主要札１１ａに、ひらがな４８文字で始まる文句１５ａが各々表示され、他の組札１０ｂには、取り札用として、主要札１１ｂから選択された４８枚の主要札１１ｂに、文句１５ｂが各々表示されたトランプ兼用かるたである。【選択図】図１
0003113066.tif 000002
【実用新案登録請求の範囲】
【請求項１】
トランプの付番表示模様が表示された５２枚の主要札と、２枚の特別札とによって一組をなす組札二組からなり、
一の組札には、読み札用として、前記主要札から選択された４８枚の前記主要札に、ひらがな４８文字で始まる文句が各々表示され、
他の組札には、取り札用として、前記主要札から選択された４８枚の前記主要札に、前記文句が各々表示されたトランプ兼用かるた。
【考案の詳細な説明】
【技術分野】
【０００１】
本考案は、トランプとしての使用が可能なかるたであって、特に生命の尊厳、「いのちたっとし」の精神を強く社会に呼び掛けると共に、人々の幸福を念願して作られたトランプ兼用かるたに関する。
【背景技術】
【０００２】
トランプやかるたは古来人口に膾炙した遊具であるが、幾多の改良がなされ或いは試みられてきた（例えば、特許文献１及び特許文献２参照。）。
【０００３】
トランプとかるたは、元来別々の遊具であり、トランプゲームと、かるた遊びの何れをも可能とした遊具が求められている。更に、世知辛い世相ゆえに、社会や世相の正常化を想い、人々の幸福を念願する見地から、遊具と雖も、これを使用することによって、即ち幾人かで遊びながらも、相互の信頼と和合を感じつつ、自然的に広く社会の平和と人々の幸運に結びつくような内容の遊具が求められている。
【特許文献１】実開平１−１１０７７５号公報
【特許文献２】実開昭６３−１９３０８６号公報
【考案の開示】
【考案が解決しようとする課題】
【０００４】
そこで本考案は、トランプとしても、かるたとしても使用を可能としたトランプ兼用かるたを提供しようとする。加えて、これを使用して多人数で遊びながら自然の恵みに感謝し、社会の平和と発展、そして人々の幸運を念願し、その方途を探求する精神と智恵を養うのに適応した内容の、連帯的、詩的な文句で構成展開された、他に類例を見ない程に独自性と卓越性を有するトランプ兼用かるたを提供しようとする。
【課題を解決するための手段】
【０００５】
本考案の要旨とするところは、トランプの付番表示模様が表示された５２枚の主要札と、２枚の特別札とによって一組をなす組札二組からなり、一の組札には、読み札用として、前記主要札から選択された４８枚の前記主要札に、ひらがな４８文字で始まる文句が各々表示され、他の組札には、取り札用として、前記主要札から選択された４８枚の前記主要札に、前記文句が各々表示されたトランプ兼用かるたである。
【０００６】
即ち、トランプの付番表示模様が表示された５２枚の主要札と、２枚の特別札とによって一組のトランプとしての形態を構成し、同時にかるたとしての機能をも加味するために、読み札用及び取り札用としての役割を果たせるようにとの見地から、一の組札には漢字を主体とした形式で文句を表現し、他の組札にはひらがなを主体とした形式で文句を表現し、これら２通りの態様を用いてしかも随時相互的に、読み札又は取り札の役割を果たし得るように構成した、種々多様な遊び方を愉しむことのできるトランプ兼用かるたである。
【考案の効果】
【０００７】
本考案のトランプ兼用かるたによると、かるたとしても、トランプとしても、それぞれ独自の遊びができる。更に、双方の要素を混合した種々多様な遊び方を工夫して愉しみを満喫することができる。
【０００８】
また、本考案のトランプ兼用かるたを使用することによって、幸運が感じられる。更には、人生における真実の「幸運」に想いを至し、より高度な探求心を養うことの重要性を知ることができる。
【考案を実施するための最良の形態】
【０００９】
以下、本考案の態様を図面に基づいて説明するが、本考案の態様は以下に示したものに限定されない。
【００１０】
図１に、本考案のトランプ兼用かるたの実施形態を示す。本考案のトランプ兼用かるた１は、トランプの付番表示模様が表示された５２枚の主要札１１と２枚の特別札１２とによって一組をなす組札１０、二組によって構成される。具体的には、５２枚の主要札１１ａ及び２枚の特別札１２ａによって一の組札１０ａをなし、５２枚の主要札１１ｂ及び２枚の特別札１２ｂによって他の組札１０ｂをなし、これら１０４枚の主要札１１ａ、１１ｂ及び４枚の特別札１２ａ、１２ｂによって、本考案のトランプ兼用かるた１が構成される。
【００１１】
図２及び図６に示した主要札１１ａ、１１ｂには、トランプの付番表示模様、即ちＫ、Ｑ、Ｊと１〜１０の数字が、トランプ模様のダイヤを伴って表示されている。同様に、図３及び図７に示した主要札１１ａ、１１ｂには、Ｋ、Ｑ、Ｊと１〜１０の数字がトランプ模様のハートを伴って表示され、図４及び図８に示した主要札１１ａ、１１ｂには、Ｋ、Ｑ、Ｊと１〜１０の数字がトランプ模様のスペードを伴って表示され、図５及び図９に示した主要札１１ａ、１１ｂには、Ｋ、Ｑ、Ｊと１〜１０の数字がトランプ模様のクローバーを伴って表示されている。なお、図１、図２及び図６の符号１３ａ、１３ｂは、各図に示した主要札１１ａ、１１ｂ及び特別札１２ａ、１２ｂの各々の裏面に表示される字句・模様の一例を示すものであり、この裏面模様は、本考案のトランプ兼用かるたの全体的意味・内容を象徴するものである。また、同図に示す特別札１２ａ、１２ｂに表示されている模様は、本考案の考案者の登録商標（商標登録第４７５０３６１号）である。
【００１２】
また、図２〜図５に示した一の組札１０ａには、かるた遊びにおける読み札用として、５２枚の主要札１１ａから選択された４８枚の主要札１１ａに、ひらがな４８文字で始まる文句（短文又は標語）１５ａが各々表示されている。ここで、５２枚の主要札１１ａから選択される４８枚の主要札１１ａは何れであってもよいが、本考案の実施の形態では、図２〜図５に示した５２枚の主要札１１ａから、トランプ付番表示模様のＫが表示された４枚の主要札１１ａを除いた４８枚の主要札１１ａに、文句１５ａが表示されている。なお、文句１５ａは、図２〜図５に示した一の組札１０ａにおいては、漢字仮名交じりで表示されている。
【００１３】
一方、図６〜図９に示した他の組札１０ｂには、かるた遊びにおける取り札用として、５２枚の主要札１１ｂから選択された４８枚の主要札１１ｂに、上記と同様の文句１５ｂが各々仮名表示されている。なお、取り札用としての４８枚の主要札１１ｂについても、図６〜図９に示した５２枚の主要札１１ｂから、トランプ付番表示模様のＫが表示された４枚の主要札１１ｂを除いた４８枚の主要札１１ｂを選択することが好ましい。また、読み札用として一の組札１０ａに係る任意の４８枚の主要札１１ａに漢字仮名交じりで表示される文句１５ａと、取り札用として他の組札１０ｂに係る任意の４８枚の主要札１１ｂに仮名表示される文句１５ｂとは、同じトランプ付番表示模様が表示された主要札に表示されることが好ましい。
【００１４】
文句（短文又は標語）１５（文句１５ａ及び文句１５ｂ）は、人心にアピールするものであれば内容は問わないが、生命、想念、情念、愛情、努力、感動、情熱、心の機微、人情、連帯、和合、信心、真心、自然の恵み、歴史への想い、世の機微、諺、教訓等を象徴する７・５調１２文字の文言であることが好ましい。以下に、本考案のトランプ兼用かるた１において特に好ましい文句１５の一例を示すが、本考案に係る文句１５はこれに限定されるものではない。
【００１５】
まず、図２に示したように、１３枚の主要札１１ａのうち、Ｋが表示された主要札１１ａを除く１２枚の主要札１１ａ、即ちＱ、Ｊ及び１〜１０の数字がトランプ模様のダイヤと共に表示された主要札１１ａには、トランプ付番表示模様のＱ、Ｊ、１〜１０の順に、次に示す文句１５ａが読み札用として漢字仮名交じりにより表示されている。トランプ付番表示模様のＱが表示された主要札１１ａには「生命幸あれ  幾千代を」という文句１５ａが表示されている。以下同様に、Ｊ、１〜１０の順で「望みと願ひ  野にも馳せ」、「知恵を身につけ  力つけ」、「凧揚げる児ら  高い声」、「つと、昼空の  月が笑み」、「塔たつ峰に  鳶も舞ふ」、「自然と文化  人生に」、「長い道のり  難所越え」、「歴史の教え  例あまた」、「春巡り来て  花開き」、「世々に栄光  甦る」、「昨日の学び  今日明日へ」という文句１５ａが、各々主要札１１ａに表示されている。また、トランプ付番表示模様のＫが表示された主要札１１ａには、Ｑ、Ｊ、１〜１０の順、即ち順次、連帯的に表示された各文句１５ａの頭音のみで構成される文句１５ａ、つまり「生命尊し  汝は善き」という文句１５ａが表示されている。更に、図６に示した取り札用としての主要札１１ｂには、上記の漢字仮名交じりで表示された文句１５ａが各々仮名表示されている（文句１５ｂ）。具体的には、トランプ付番表示模様のＫ、Ｑ、Ｊ及び１〜１０の数字がトランプ模様のダイヤと共に表示された主要札１１ｂに、トランプ付番表示模様のＫ、Ｑ、Ｊ、１〜１０の順で、「いのちたっとし  なれはよき」、「いのちさちあれ  いくちよを」、「のぞみとねがひ  のにもはせ」、「ちゑをみにつけ  ちからつけ」、「たこあげるこら  たかいこゑ」、「つと、ひるぞらの  つきがゑみ」、「とうたつみねに  とびもまふ」、「しぜんとぶんか  じんせいに」、「ながいみちのり  なんしょこえ」、「れきしのおしえ  れいあまた」、「はるめぐりきて  はなひらき」、「よよにえいこう  よみがえる」、「きのうのまなび  きょうあすへ」と表示されている。即ち、漢字仮名交じりで表示された文句１５ａと、仮名表示された文句１５ｂとは、一の組札１０ａと他の組札１０ｂとに分かれて、それぞれ同じトランプ付番表示模様及びトランプ模様が表示された主要札１１ａ、１１ｂに表示されることとなる。
【００１６】
同様にして、図３に示した１３枚の主要札１１ａのうち、トランプ付番表示模様のＱ、Ｊ及び１〜１０の数字がトランプ模様のハートと共に表示された主要札１１ａには、トランプ付番表示模様のＱ、Ｊ、１〜１０の順に、「驕る夏草  抑えつつ」、「モラルとマナー  守り立てる」、「閃く想ひ  人のため」、「深い愛情  吹き込んで」、「工夫を重ね  句など詠み」、「芽出多や嬉し  迷夢醒め」、「天地の恩に  掌を合わす」、「秋曙は  茜の陽」、「瑠璃色の海  ルビー彩」、「港賑わう  岬まで」、「夕べ吾が庭  柚子薫り」、「駅の灯見える  縁側に」という文句１５ａが漢字仮名交じりで表示されている。また、トランプ付番表示模様のＫが表示された主要札１１ａには、Ｑ、Ｊ、１〜１０の順に表示された各文句１５ａの頭音のみで構成される文句１５ａ、即ち「想ひ含めて  有る身ゆえ」という文句１５ａが表示されている。更に、これら漢字仮名交じりで表示された文句１５ａは、図７に示した取り札用としての主要札１１ｂに各々仮名表示されている（文句１５ｂ）。具体的には、トランプ付番表示模様のＫ、Ｑ、Ｊ及び１〜１０の数字がトランプ模様のハートと共に表示された主要札１１ｂに、トランプ付番表示模様のＫ、Ｑ、Ｊ、１〜１０の順で、「おもひふくめて  あるみゆえ」、「おごるなつぐさ  おさえつつ」、「モラルとマナー  もりたてる」、「ひらめくおもひ  ひとのため」、「ふかいあいじょう  ふきこんで」、「くふうをかさね  くなどよみ」、「めでたやうれし  めいむさめ」、「てんちのおんに  てをあわす」、「あきあけぼのは  あかねのひ」、「るりいろのうみ  ルビーさい」、「みなとにぎわう  みさきまで」、「ゆうべわがにわ  ゆずかおり」、「えきのひみえる  えんがわに」と表示されている。
【００１７】
また、図４に示した１３枚の主要札１１ａのうち、トランプ付番表示模様のＱ、Ｊ及び１〜１０の数字がトランプ模様のスペードと共に表示された主要札１１ａには、トランプ付番表示模様のＱ、Ｊ、１〜１０の順に、「和気藹々の  童べ唄」、「盛んな拍手  座は弾み」、「尾頭付きの  折り詰めで」、「やをら箸とる  夜半の宴」、「素踊り乙女  清々し」、「眉根優しく  丸い顔」、「濡れた目許を  拭う所作」、「健康的で  芸も活き」、「「ん」と励んで  運に乗る」、「心に張りと  根気あり」、「内外揃う  美しさ」、「創造性と  素朴味と」という文句１５ａが漢字仮名交じりで表示されている。更に、トランプ付番表示模様のＫが表示された主要札１１ａには、Ｑ、Ｊ、１〜１０の順に表示された各文句１５ａの頭音のみで構成される文句１５ａ、即ち「業を休まぬ  健康ぞ」という文句１５ａが表示されている。また、これら漢字仮名交じりで表示された文句１５ａは、図８に示した取り札用としての主要札１１ｂに各々仮名表示されている（文句１５ｂ）。具体的には、トランプ付番表示模様のＫ、Ｑ、Ｊ及び１〜１０の数字がトランプ模様のスペードと共に表示された主要札１１ｂに、トランプ付番表示模様のＫ、Ｑ、Ｊ、１〜１０の順で、「わざをやすまぬ  けんこうぞ」、「わきあいあいの  わらべうた」、「さかんなはくしゅ  ざははずみ」、「をかしらづきの  をりづめで」「やをらはしとる  やはんのえん」、「すおどりおとめ  すがすがし」、「まゆねやさしく  まるいかほ」、「ぬれためもとを  ぬぐうしょさ」、「けんこうてきで  げいもいき」、「「ん」とはげんで  「ん」にのる」、「こころにはりと  こんきあり」、「うちそとそろう  うつくしさ」、「そうぞうせいと  そぼくみと」と表示されている。
【００１８】
また、図５に示した１３枚の主要札１１ａのうち、トランプ付番表示模様のＱ、Ｊ及び１〜１０の数字がトランプ模様のクローバーと共に表示された主要札１１ａには、トランプ付番表示模様のＱ、Ｊ、１〜１０の順に、「恵顔忘れず  絵も習い」、「舵取る人の  影川面」、「帆を張る舟へ  星明り」、「眠る岸辺の  合歓木々ら」、「無量の福寿  報われて」、「来世に続く  楽園を」、「世界遍く  全域に」、「田舎の冬は  囲炉裏端」、「浪漫ほのぼの  蝋燭灯」、「理想に燃えて  良縁を」、「隔てぬ仲間  平和郷」、「にっこり架かる  虹の橋」という文句１５ａが漢字仮名交じりで表示されている。更に、トランプ付番表示模様のＫが表示された主要札１１ａには、Ｑ、Ｊ、１〜１０の順に表示された各文句１５ａの頭音のみで構成される文句１５ａ、即ち「恵顔眠らせ  囲炉裏辺に」という文句１５ａが表示されている。また、これら漢字仮名交じりで表示された文句１５ａは、図９に示した取り札用としての主要札１１ｂに各々仮名表示されている（文句１５ｂ）。具体的には、トランプ付番表示模様のＫ、Ｑ、Ｊ及び１〜１０の数字がトランプ模様のクローバーと共に表示された主要札１１ｂに、トランプ付番表示模様のＫ、Ｑ、Ｊ、１〜１０の順で、「ゑがほねむらせ  ゐろりべに」、「ゑがほわすれず  ゑもならい」、「かぢとるひとの  かげかわも」、「ほをはるふねへ  ほしあかり」、「ねむるきしべの  ねむきぎら」、「むりょうのふくじゅ  むくわれて」、「らいせにつづく  らくえんを」、「せかいあまねく  ぜんゐきに」、「ゐなかのふゆは  ゐろりばた」、「ロマンほのぼの  ローソクび」、「りそうにもえて  りょうえんを」、「へだてぬなかま  へいわごう」、「にっこりかかる  にじのはし」と表示されている。
【００１９】
以上に示した文句１５は、本考案のトランプ兼用かるた１において特に好ましい文句として、本考案の考案者の意図を反映させて定められている。なお、上記の文句１５は、幾つかの条件を基に創作されている。例えば、全ての文句１５が７・５調形式で表現されている。また、各図に示したトランプ付番表示模様がＫの主要札１１ａ（１１ｂ）に表示されている文句１５ａ（１５ｂ）は、同じトランプ模様（ダイヤ、ハート等）に係るトランプ付番表示模様がＱ、Ｊ、１〜１０の主要札１１ａ（１１ｂ）に表示された文句１５ａ（１５ｂ）の頭音を、Ｑ、Ｊ、１〜１０の順に並べて創作されている。即ち、図６〜図９を例に説明すると、これらの図に示した４枚のトランプ付番表示模様がＫの主要札１１ｂに表示されている文句１５ｂは、ひらがな４８文字、より具体的には、「いのちたっとし」の連帯４８文字で創作されている。更に、各文句１５の前段７音の頭音と、後段５音の頭音とは共通している。
【００２０】
本考案のトランプ兼用かるた１には、上記の文句１５やトランプ付番表示模様と共に、記号１８が表示されてもよい。この記号１８は、図２〜図５に示した一の組札１０ａ、及び図６〜図９に示した他の組札１０ｂごとに、各主要札１１ａ、１１ｂの位置付けや順位、分類を表すものである。この位置付けや順位、分類の定め方に制限はないが、節分・節句の思想等に基づいて、考案者の意図を反映させて定めることができる。例えば、図２〜図５に示した一の組札１０ａを例に説明すると、トランプ付番表示模様がＫの主要札１１ａを元節として、その他の４８枚の主要札１１ａを、トランプ模様がダイヤ、ハート、スペード、クローバーの順で、且つトランプ付番表示模様がＱ、Ｊ、１〜１０の順で、９つの節に分けることができる。
【００２１】
以上、本考案のトランプ兼用かるた１の態様について説明したが、本考案はその趣旨を逸脱しない範囲で、当業者の知識に基づき種々の改良、修正、変形を加えた態様で実施し得るものである。
【００２２】
実際にかるた遊びをする際には、トランプ兼用かるた１を構成する全主要札１１からトランプ付番表示模様がＫの主要札１１及び特別札１２を除いておくことが好ましい。また、トランプゲームをする際には、トランプ兼用かるた１を構成する一の組札１０ａ或いは他の組札１０ｂの何れか一方のみで遊戯することもできる。
【図面の簡単な説明】
【００２３】
【図１】本考案のトランプ兼用かるたの一態様を示す図である。
【図２】本考案のトランプ兼用かるたの一態様を構成する主要札及び特別札を示す図である。
【図３】本考案のトランプ兼用かるたの一態様を構成する主要札を示す図である。
【図４】本考案のトランプ兼用かるたの一態様を構成する主要札を示す図である。
【図５】本考案のトランプ兼用かるたの一態様を構成する主要札を示す図である。
【図６】本考案のトランプ兼用かるたの一態様を構成する主要札及び特別札を示す図である。
【図７】本考案のトランプ兼用かるたの一態様を構成する主要札を示す図である。
【図８】本考案のトランプ兼用かるたの一態様を構成する主要札を示す図である。
【図９】本考案のトランプ兼用かるたの一態様を構成する主要札を示す図である。
【符号の説明】
【００２４】
１：トランプ兼用かるた
１０ａ：一の組札
１０ｂ：他の組札
１１ａ、１１ｂ：主要札
１２ａ、１２ｂ：特別札（商標登録第４７５０３６１号）
１３ａ、１３ｂ：裏面模様（主要札及び特別札の各々の裏面に表示される字句・模様）
１５ａ、１５ｂ：文句
１８：節分・節句を意味する記号
【図１】
0003113066.tif 000003
【図２】
0003113066.tif 000004
【図３】
0003113066.tif 000005
【図４】
0003113066.tif 000006
【図５】
0003113066.tif 000007
【図６】
0003113066.tif 000008
【図７】
0003113066.tif 000009
【図８】
0003113066.tif 000010
【図９】
0003113066.tif 000011
【手続補正書】
【提出日】平成17年5月12日(2005.5.12)
【手続補正１】
【補正対象書類名】明細書
【補正対象項目名】００２１
【補正方法】変更
【補正の内容】
【００２１】
以上、本考案のトランプ兼用かるた１の態様について説明したが、本考案はその趣旨を逸脱しない範囲で、当業者の知識に基づき種々の改良、修正、変形を加えた態様で実施し得るものである。例えば、本考案のトランプ兼用かるた１に係る主要札１１に表示されるトランプの付番表示模様、トランプ模様、文句１５、記号１８、特別札１２に表示される模様、主要札１１及び特別札１２の各々の裏面に表示される裏面模様１３ａ、１３ｂ等は、何色かの色彩を用いてカラー表示されることが好ましい。また、本考案に係る主要札１１及び特別札１２の形状及びサイズは特に限定されないが、一般のトランプカードと同様の形状及びサイズであることが好ましい。
【手続補正２】
【補正対象書類名】明細書
【補正対象項目名】００２３
【補正方法】変更
【補正の内容】
【００２３】
【図１】本考案のトランプ兼用かるたの一態様を示す図である。
【図２】本考案のトランプ兼用かるたの一態様を構成する特別札及び主要札、並びにこれら各々の裏面に表示される裏面模様を示す図である。
【図３】本考案のトランプ兼用かるたの一態様を構成する主要札を示す図である。
【図４】本考案のトランプ兼用かるたの一態様を構成する主要札を示す図である。
【図５】本考案のトランプ兼用かるたの一態様を構成する主要札を示す図である。
【図６】本考案のトランプ兼用かるたの一態様を構成する特別札及び主要札、並びにこれら各々の裏面に表示される裏面模様を示す図である。
【図７】本考案のトランプ兼用かるたの一態様を構成する主要札を示す図である。
【図８】本考案のトランプ兼用かるたの一態様を構成する主要札を示す図である。
【図９】本考案のトランプ兼用かるたの一態様を構成する主要札を示す図である。